(57)【要約】      （修正有）【課題】より取扱いが簡易であって、不使用時にさらに傘低くして複数のものを保管することができるようにした傘立てを提供する。【解決手段】奥方に向けて傾斜する左右一対の支柱１０と、上記各支柱１０の各上下方向中間部に対し、側面視において各支柱１０に対して交差するように接続され、各支柱１０よりも奥方側に位置する左右一対のロッド状の支持脚３０と、上記各支柱１０の上端部に両端の各奥方側が連結され、１つ以上の傘挿入開口２３をもつ傘保持枠２０と、を備えており、上記左右一対の支持脚３０、および上記傘保持枠２０を含む、上記左右一対の支柱１０以外の部材は、上記左右一対の支柱１０の左右方向内側に位置させられている。【選択図】図４
2010022481.tif 000002
【特許請求の範囲】
【請求項１】
奥方に向けて傾斜する左右一対の支柱と、
上記各支柱の各上下方向中間部に対し、側面視において各支柱に対して交差するように接続され、各支柱よりも奥方側に位置する左右一対のロッド状の支持脚と、
上記各支柱の上端部に両端の各奥方側が連結され、１つ以上の傘挿入開口をもつ傘保持枠と、を備えており、
上記左右一対の支持脚、および上記傘保持枠を含む、上記左右一対の支柱以外の部材は、上記左右一対の支柱の左右方向内側に位置させられていることを特徴とする、傘立て。
【請求項２】
上記傘保持枠は、一定以下の厚みをもつ薄板状をしており、かつ、奥方側より手前側が下位となるように傾斜している、請求項１に記載の傘立て。
【請求項３】
上記左右一対の支持脚の下端部と上記左右一対の支柱の下端部とをつなぐ左右一対の縦ロッド、および、上記左右一対の支柱の下端部間をつなぐ横ロッドにより、ベース枠が形成されている、請求項１または２に記載の傘立て。
【請求項４】
上記左右一対の縦ロッド間は、連結ロッドによって連結されている、請求項３に記載の傘立て。
【請求項５】
上記左右一対の支持脚の上端から一体に延びる左右一対の支持アームの上端が、上記傘保持枠の両端の各手前側に接続されている、請求項３または４に記載の傘立て。
【請求項６】
上記ベース枠を構成する左右一対の縦ロッド、および横ロッド、上記左右一対の支持脚、ないし上記左右一対の支持アームは、一連のロッド状部材によって形成されている、請求項５に記載の傘立て。
【請求項７】
上記傘保持枠は、横長矩形の平面視外形を有するとともに、複数本の横ロッドと、複数本の縦ロッドとにより格子状に形成されている、請求項６に記載の傘立て。
【請求項８】
上記傘保持枠の左右両端に位置する縦ロッド、および、上記傘保持枠の奥端に位置する横ロッドは、一連のロッド状部材によって形成されており、かつ、上記傘保持枠の左右両端に位置する縦ロッドと上記左右一対の支持アームとは、一連につながっている、請求項７に記載の傘立て。
【請求項９】
上記左右一対の支柱は、側面視において直線状に延びているとともに、上記左右一対の支持脚ないし上記左右一対の支持アームは、側面視において直線状に延びている、請求項５に記載の傘立て。
【請求項１０】
上記傘保持枠に保持された傘の先端を受け止めるトレイをさらに有しており、このトレイは、上記ベース枠上に着脱可能に保持されている、請求項３ないし９のいずれかに記載の傘立て。
【請求項１１】
上記トレイにおける手前縁の適部には、手前側からネスティングされる他の傘立てにおける上記左右一対の支持脚にスライド係合する切欠きが形成されている、請求項１０に記載の傘立て。
【発明の詳細な説明】
【技術分野】
【０００１】
本発明は、傘立てに関し、詳しくは、複数の傘を挿入して保持する形式のものにおいて、不使用時等に複数重ねて嵩低く保管できるように構成されたものに関する。
【背景技術】
【０００２】
たとえば、特許文献１には、不使用時に複数のものを前後方向にネスティングして保管することができるようにした傘の収納スタンドが開示されている。この傘の収納スタンドは、それぞれが前後方向に延びる左右のベースフレームと、この左右のベースフレームの各後端部に立設された左右の支柱と、左右の支柱の各先端から前方に向けて斜め上方に延びる左右の支持アームと、左右の支持アーム間に掛け渡すように設けられた複数の横バーと、各横バーに複数設けられた傘ロック装置と、左右のベースフレームの各下面に設けられたキャスタとを備えている。左右のベースフレームは、前方に向かうほどそれらの間隔が狭くなるように、平面視ハの字状となっており、これにより、前方側に位置する傘の収納スタンドの左右のベースフレーム間に、後方側から他の収容スタンドの左右のベースフレームが進入することができるようにして、複数の傘の収納スタンドがネスティング状態となって、前後方向に嵩低く重ねられるようになっている。複数の横バーおよびこれに取り付けられた複数の傘ロック装置は、前方に向けて斜め上方に延びる支持アームに設けられているため、各傘の収納スタンドが上記のようにネスティング状態で重ねられていても、互いに干渉することがないようになっている。
【０００３】
しかしながら、上記のような傘の収納スタンドは、複数の横バーに傘ロック装置が設けられているとともに、キャスタを有するという、比較的大がかりで本格的なものである。そのために、ネスティング状に重ねることかできるとはいえ、前後方向にしか重ねることができず、一定程度以上に嵩低い保管状態を得ることができず、また、保管場所に移動させるに際しても、平坦な移動経路を確保せねばならないという難点があった。
【０００４】
【特許文献１】特開平８−３０８７１１号公報
【発明の開示】
【発明が解決しようとする課題】
【０００５】
本発明は、上記した事情のもとで考え出されたものであって、より取扱いが簡易であって、不使用時にさらに嵩低くして複数のものを保管することができるようにした傘立てを提供することをその課題とする。
【課題を解決するための手段】
【０００６】
上記の課題を解決するため、本発明では、次の技術的手段を採用した。
【０００７】
本発明によって提供される傘立ては、奥方に向けて傾斜する左右一対の支柱と、上記各支柱の各上下方向中間部に対し、側面視において各支柱に対して交差するように接続され、各支柱よりも奥方側に位置する左右一対のロッド状の支持脚と、上記各支柱の上端部に両端の各奥方側が連結され、１つ以上の傘挿入開口をもつ傘保持枠と、を備えており、上記左右一対の支持脚、および上記傘保持枠を含む、上記左右一対の支柱以外の部材は、上記左右一対の支柱の左右方向内側に位置させられていることを特徴としている。
【０００８】
上記構成の傘立てにおいては、２つの傘立てを重ねようとすると、一方の傘立てにおける左右一対の支柱は、他方の傘立てにおける左右一対の支柱以外の部材には干渉しない状態を得ることができる。したがって、２つの傘立ては、一方の傘立てにおける一対の支柱と他方の傘立てにおける一対の支柱が重なり、一方の傘立てにおける傘保持枠と他方の傘立てにおける傘保持枠とが重なるようにして、重ねることができる。この場合、傘保持枠を薄板状に形成することにより、両者の一対の支柱が密着ないしは近接した状態で重ねられるため、多数の傘立てを重ねたとしても、非常に嵩低い状態を得ることができる。
【０００９】
好ましくは、上記傘保持枠は、一定以下の厚みをもつ薄板状をしており、かつ、奥方側より手前側が下位となるように傾斜している。このようにすることにより、複数の傘立てをより嵩低く重ねることができるとともに、使用状態において、傘保持枠に対する傘の挿入勝手がよくなる。
【００１０】
好ましくは、上記左右一対の支持脚の下端部と上記左右一対の支柱の下端部とをつなぐ左右一対の縦ロッド、および、上記左右一対の支柱の下端部間をつなぐ横ロッドにより、ベース枠が形成されている。この場合において、さらに好ましくは、上記左右一対の縦ロッド間は、連結ロッドによって連結されている。このように構成することにより、傘立て全体の剛性が高まるとともに、後記するように、傘の先端を受け止めるトレイをベース枠を利用して保持させるのに都合がよくなる。
【００１１】
好ましくは、上記左右一対の支持脚の上端から一体に延びる左右一対の支持アームの上端が、上記傘保持枠の両端の各手前側に接続されている。このように構成することにより、傘保持枠の支持剛性が高まる。
【００１２】
好ましくは、上記ベース枠を構成する左右一対の縦ロッド、および横ロッド、上記左右一対の支持脚、ないし上記左右一対の支持アームは、一連のロッド状部材によって形成されている。このように構成することにより、部材点数少なく、傘立てを構成することができ、コストダウンにつながる。
【００１３】
好ましくは、上記傘保持枠は、横長矩形の平面視外形を有するとともに、複数本の横ロッドと、複数本の縦ロッドとにより格子状に形成されている。このような傘保持枠の形態とすることにより、傘挿入開口を大きくとることができ、傘挿入開口への傘の挿入がしやすくなる。
【００１４】
好ましくは、上記傘保持枠の両端に位置する縦ロッド、および、上記傘保持枠の奥端に位置する横ロッドは、一連のロッド状部材によって形成されており、かつ、上記傘保持枠の両端に位置する縦ロッドと上記左右一対の支持アームとは、一連につながっている。このように構成することにより、部材点数をより少なくして、傘立てを構成することができ、コスト的により有利となる。
【００１５】
好ましくは、上記左右一対の支柱は、側面視において直線状に延びているとともに、上記左右一対の支持脚ないし上記左右一対の支持アームは、側面視において直線状に延びている。このように構成することにより、複数の傘立てを、それらの左右一対の支柱がより近接した状態で重ねることができる。
【００１６】
好ましくは、上記傘保持枠に保持された傘の先端を受け止めるトレイをさらに有しており、このトレイは、上記ベース枠上に着脱可能に保持されている。このように構成することにより、不使用時にトレイを取り外しておき、トレイのない状態での複数の傘立てをより嵩低く重ねて保管しておくことができる。
【００１７】
上記トレイにおける手前縁の適部には、手前側からネスティングされる他の傘立てにおける上記左右一対の支持脚にスライド係合する切欠きが形成されている。このように構成することにより、トレイを取り付けた状態で複数の傘立てを重ねようとしたときに、他の傘立ての左右一対の支持脚に切欠きがスライド案内されるようにして、当該傘立てのトレイが支持脚に沿うような恰好に自動的に起立回動させられ、複数の傘立てを前後方向に重ねようとしたときに、自動的に適正な重合状態が得られる。
【００１８】
本発明のその他の特徴および利点は、添付図面を参照して以下に行う詳細な説明によって、より明らかとなろう。
【発明を実施するための最良の形態】
【００１９】
以下、本発明の好ましい実施の形態につき、図面を参照して具体的に説明する。
【００２０】
図１ないし図４に示すように、この傘立てＡは、所定間隔を隔てて位置する左右一対の支柱１０と、この左右一対の支柱１０の上部において、左右両端部が支持された傘保持枠２０と、左右一対の支柱１０の中間部から下方に延びる支持脚３０とを基本的に有する。
【００２１】
左右一対の支柱１０は、たとえば長矩形断面をした直線状に延びる金属パイプによって構成され、正面視においては垂直状に延びるとともに、側面視においては、下端に対して上端が奥方に変位するように、すなわち、奥方に向けて傾斜させられている。各支柱１０の下端には、水平な接地面１０ｃを確保するための樹脂製キャップ１１が装着されている。
【００２２】
左右一対の支持脚３０は、左右一対の支柱１０の長手方向中間部における内面に接続され、奥方に向けて傾斜しつつ下方に向けて直線状に延びており、たとえば金属によって形成されたロッド状に形成されている。
【００２３】
図４に良く表れているように、この実施形態では、上記した左右一対の支持脚３０の下端から前後方向に延びて支柱１０の内面に接続される左右一対の縦ロッド４１と、この縦ロッド４１に一連につながり、左右一対の支柱１０の下端間を掛け渡すように延びる横ロッド４２とにより、ベース枠４０が形成されている。この実施形態ではまた、上記左右一対の支持脚３０、左右一対の縦ロッド４１、および横ロッド４２は、一連のロッド部材を折曲して形成されている。このようなベース枠４０を形成することにより、傘立てＡの全体の剛性が高められるともに、後記するトレイ５０を適正に保持することができる。
【００２４】
この実施形態ではまた、上記左右一対の縦ロッド４１間を、上記左右一対の支持脚３０との接続部近傍において連結する金属製の連結ロッド４４を設け、ベース枠４０の剛性をさらに高めている。この連結ロッド４４は、その両端部はテーパ状に上下高さが縮小させられ、左右一対の縦ロッド４１の内側面に連結されている一方、中間部の上下高さには一定の寸法が与えられ、その上面高さ位置が横ロッド４２の上面位置と一致させられている。これにより、後記するように複数の傘立てをネスティング状に重ねようとするときに、連結ロッド４４が他の傘立てＡの左右一対の縦ロッド４１と干渉することを回避することができるとともに、後記するトレイ５０を水平状態で安定的に保持することができる。また、この連結ロッド４４は、その中間部に一定の寸法が与えられていることからある程度の重量を有し、しかも、ベース枠４０の奥方に位置しているので、傘立ての重心が下げられることとあいまって、傘立てが不用意に手前方向に転倒することを防止することもできる。なお、実施形態では、この連結ロッド４４の下面左右位置に、ゴム等からなる滑り止め部材４４ａが取り付けられている。
【００２５】
図２に良く表れているように、傘保持枠２０は、横長矩形状の平面視外形を有するとともに、複数本の縦ロッド２１と、複数本の横ロッド２２とにより、格子状に形成されており、各一対の縦ロッド２１と各一対の横ロッド２２とで囲まれた複数の矩形開口が、傘挿入開口２３を形成している。この傘保持枠２０は、ロッド状の部材を組み上げて形成されているため、上下厚みが比較的薄い板状となる。この傘保持枠２０はまた、その左右端部の奥方側が左右一対の支柱１０の上端部の内面に接続されているとともに、奥方側に対して手前側が低位となるように傾斜させられている。このようにこの実施形態においては、傘保持枠２０が手前側が低くなるように傾斜しているとともに、各傘挿入開口２３が大きく開口しているため、傘挿入開口２３への傘の挿入がしやすくなる。
【００２６】
上記傘保持枠２０の左右端部の手前方は、左右一対の支持脚３０から側面視において直線をなすように一連に上方に延びるロッド状の支持アーム３５の上端に接続されている。これにより、傘保持枠２０は、その四隅部が左右一対の支柱１０および左右一対の支持アーム３５によって支持されることになり、その支持剛性が高められる。
【００２７】
実施形態においては、ベース枠４０を形成する横ロッド４２、ベース枠４０を形成する左右一対の縦ロッド４１、左右一対の支持脚３０、この支持脚３０から上方に一連に延びる左右一対の支持アーム３５、傘保持枠２０の左右方向端部に位置する一対の縦ロッド２１、および、傘保持枠２０の最奥方に位置する横ロッド２２が、一連のロッド状部材を折曲することによって形成されている。このように構成することにより、部材点数が少なくなり、コスト的に有利となるとともに、各部間の接続強度が高まる。
【００２８】
図１および図２によく表れているように、この傘立てＡにおいては、左右一対の支柱１０を除くすべての部材、すなわち、左右一対の支持脚３０、ベース枠４０、支持アーム３５、傘保持枠２０は、左右一対の支柱１０の内面間の空間に位置させられている。これにより、複数の傘立てＡを前後方向ないし上下方向に重ねようとする場合、一方の傘立てＡの左右一対の支柱１０は、他方の傘立てＡにおける左右一対の支柱１０以外のベース枠４０や傘保持枠２０に干渉することがない状態を得ることができる。
【００２９】
ベース枠４０には、トレイ５０が保持される。図５ないし図７に示すように、トレイ５０は、平面視長矩形状をした樹脂成形品であり、フランジ部５１と、内方の受皿部５２とを有している。受皿部５２には、格子状の仕切り凸条５３が形成されていて、受け止めた傘の先端がこの仕切り凸条５３を乗り越えてずれ動かないようになっている。周縁フランジ部５１は、図８および図９によく表れているように、外方ほど低くなる上面部５１ａと、この上面部５１ａの外縁から下方に延びる下垂部５１ｂとを有しており、その下面側には、適宜、剛性を保持するためのリブ５４が形成されている。このトレイ５０における手前縁と、奥縁とにそれぞれ位置するフランジ部５１の下垂部５１ｂには、図６および図１０によく表れているように、左右一対の切欠き５５が設けられている。この切欠き５５の左右方向の位置は、一対の支持脚３０の位置と対応させられている。
【００３０】
このトレイ５０は、図１、図３、図４、図８および図９に表れているように、左右側縁のフランジ部５１と、手前縁のフランジ部５１と、奥方縁のフランジ部５１とが、ベース枠４０の左右一対の縦ロッド４１、横ロッド４２および連結ロッド４４の上に載るような恰好で、かつ、受皿部５２が左右一対の縦ロッド４１、横ロッド４２および連結ロッド４４からなる四辺形の枠内に嵌まり込むようにして、上記ベース枠４０に保持される。このように、トレイ５０は、ベース枠４０に載るように保持されているだけであるので、着脱自由である。また、左右一対の支持脚３０によって、奥方への移動を阻止されながら、奥縁を支点として、起立回動可能である。
【００３１】
次に、上記構成の傘立てＡの作用について、説明する。
【００３２】
上記したように、上記構成の傘立てＡは、左右一対の支柱１０以外の部材は、すべて左右一対の支柱１０の内側に位置している。したがって、複数の傘立てＡを重ねようとしたとき、一の傘立てＡの左右一対の支柱１０が、他の傘立てＡの傘保持枠２０やベース枠４０に干渉することがない。また、傘保持枠２０にしても、ベース枠４０にしても、ロッド状部材を組み合わせて形成されているため、厚み方向の寸法は比較的薄い。その結果、この傘立てＡは、トレイ５０を取り外した状態において、図１１に示すように、奥側に位置する傘立てＡの一対の支柱１０の手前側の面１０ａに、手前側に位置する傘立てＡの一対の支柱１０の奥側の面１０ｂが密着するようにして、複数重ね合わせることができる。このように、不使用時、複数の傘立てＡを、嵩低く重ねて保管することができる。この場合、各傘立てＡから取り外したトレイ５０は、それらを重ねた状態において、最上位の傘立てＡのベース枠４０上に保持させておけばよい。
【００３３】
また、上記したように、トレイ５０は、左右一対の支持脚３０に奥方への移動を阻止されながら、起立回動可能であり、かつ、手前縁のフランジ部５１には、一対の支持脚３０の位置と対応して位置する切欠き５５が形成されている。したがって、奥側に位置する傘立てＡに対し、手前側から他の傘立てＡを重ねるように移動させる際、手前側の傘立てＡの左右一対の支持脚３０によって切欠き５５がスライド案内されるようにして、奥側に位置する傘立てＡのトレイ５０が自動的に起立回動させられる（図１２参照）。このときにおいても、この傘立てＡが、図１３に示すように、奥側に位置する傘立てＡの左右一対の支柱１０の手前側の面１０ａに、手前側に位置する傘立てＡの左右一対の支柱１０の奥側の面１０ｂが密着するようにして、かつ、奥側の傘立てＡのトレイ５０が、奥側の傘立てＡの左右一対の支持脚３０と手前側の傘立てＡの左右一対の支持脚３０との間に挟まれるようになって、複数重ね合わせることができる。なお、この状態において、トレイ５０の奥方縁のフランジ部５１に形成された切欠き５５が奥側の傘立てＡの左右一対の縦ロッド４１に係合して、このトレイ５０の左右方向へのずれ動きが阻止される。
【００３４】
このように、上記の傘立てＡは、不使用時により嵩低くなるように重ねて保管することができる。
【００３５】
本願発明は、上記した実施形態に限定されるものではなく、各請求項に記載した事項の範囲内でのあらゆる変更は、すべて本願発明の範囲に含まれる。
【００３６】
実施形態では、傘保持枠やベース枠は、ロッド状の部材を折曲することによって構成しているが、各部材の形態は、問われない。たとえば、傘保持枠は、板状の部材に傘挿入開口を１または複数設けた形態であってもよい。
【００３７】
本願発明は、要するに、一対の支柱以外の部材が、一対の支柱間に位置していて、複数の傘立てが重ね合わされたとき、支柱どうしの密着状、あるいは近接状の重ね合わせを状態を阻害することがないように構成されておればよい。
【図面の簡単な説明】
【００３８】
【図１】本願発明の一実施形態に係る傘立てのトレイを取り外した状態の正面図である。
【図２】図１に示した傘立てのトレイを取り外した状態の平面図である。
【図３】図１に示した傘立てのトレイを取り付けた状態の側面図である。
【図４】図１ないし図３に示した傘立ての分解斜視図である。
【図５】図１ないし図４に示した傘立てにおけるトレイの平面図である。
【図６】図５に示したトレイの正面図である。
【図７】図５に示したトレイの底面図である。
【図８】図５のVIII-VIII線に沿う拡大断面図である。
【図９】図５のIX-IX線に沿う拡大断面図である。
【図１０】図６のＢ部拡大図である。
【図１１】作用説明図である。
【図１２】作用説明図である。
【図１３】作用説明図である。
【符号の説明】
【００３９】
Ａ      傘立て
１０    支柱
１０ｃ  設置面
２０    傘保持枠
２１    縦ロッド（傘保持枠の）
２２    横ロッド（傘保持枠の）
２３    傘挿入開口
３０    支持脚
３５    支持アーム
４０    ベース枠
４１    縦ロッド（ベース枠の）
４２    横ロッド（ベース枠の）
４４    連結ロッド
５０    トレイ
５１    フランジ部
５２    受皿部
５５    切欠き
【図１】
2010022481.tif 000003
【図２】
2010022481.tif 000004
【図３】
2010022481.tif 000005
【図４】
2010022481.tif 000006
【図５】
2010022481.tif 000007
【図６】
2010022481.tif 000008
【図７】
2010022481.tif 000009
【図８】
2010022481.tif 000010
【図９】
2010022481.tif 000011
【図１０】
2010022481.tif 000012
【図１１】
2010022481.tif 000013
【図１２】
2010022481.tif 000014
【図１３】
2010022481.tif 000015